(57)【要約】【課題】別途フィルム等により包装しないでも、未開封及び既開封を容易且つ確実に判断出来、不正開封に伴う被害の発生を未然に防ぐことができるヒンジキャップを提供する。【解決手段】キャップ本体と上蓋とをヒンジを介して開閉自在に連結したものであり、ヒンジの反対側の側壁に開閉容易とする鍔部を設け、且つ上蓋の側壁に、これの上部から鍔部を通り下端まで延びる縦溝を設け、縦溝の外周側に位置する部位がタンパーエビデントカバー部を形成し、且つタンパーエビデントカバー部の下端部に破断可能な弱化部を介して設けた上蓋側係合部とスカート壁上部外面に設けたキャップ本体側係合部とが係合するように設けることで、タンパーエビデントカバーを除去すると、側壁の一部と共に鍔部の一部をも除去することになり、未開封及び既開封を容易且つ確実に判断出来る。【選択図】図７
2011001066.tif 000002
【特許請求の範囲】
【請求項１】
キャップ本体と上蓋とをヒンジにより開閉自在に連結したものであり、
前記キャップ本体は、天面と該天面の周縁から垂下し容器の口部に嵌合固定するスカート壁とで構成され、前記天面に、開口予定部及び該開口予定部を囲繞する注出筒を形成すると共に、該注出筒より外側に前記上蓋を閉栓固定する外側壁を形成してなり、
前記上蓋は、天板と該天板の周縁から垂下する側壁とで構成され、前記天板に、これから垂下し前記注出筒の内面に当接しシールするインナーリングを形成し、且つ前記ヒンジの反対側の前記側壁に開閉容易とする鍔部を設けてなる、ヒンジキャップにおいて、
前記上蓋の側壁に、これの上部から前記鍔部を通り下端まで延びる縦溝を設け、該縦溝の外周側に位置する部位がタンパーエビデントカバー部を形成し、該タンパーエビデントカバー部の両側には上端から下端に至る薄肉部が形成され、且つ該タンパーエビデントカバー部の下端部には破断可能な弱化部を介して上蓋側係合部が設けられ、上蓋を閉じた時に該上蓋側係合部と係合するキャップ本体側係合部をスカート壁上部外面に設けたことを特徴とするヒンジキャップ。
【発明の詳細な説明】
【技術分野】
【０００１】
本発明は、液状内容物を充填した容器の口部に装着し、未開封であることを容易に認識できるヒンジキャップに関し、より詳しくは、キャップを開封するために特定部位を破断しなければならず、かつ、その破断状態が修復不可能にするとともに、破断状態を明確に外視できるようにしたヒンジキャップに関する。
【背景技術】
【０００２】
ヒンジキャップは、キャップ本体と上蓋とがヒンジを介して連結され、その開閉自在性に加えて易開封性も付与されて、利便性を高められていることから、調味料や天然果汁などの液状内容物を収容する容器に多く使用されている。すなわち、このヒンジキャップは、キャップ本体を容器口部に打栓して液密にすると共に、容易に外れないようにして液密状態を維持し、更に、スコア切裂用タブにより上記易開封性を実現して、上記ヒンジ連結にて上蓋を開閉自在にしている。また、ヒンジ連結のまま、キャップ本体を容器口部に螺着脱出来るものもある。
【０００３】
上記ヒンジキャップを冠した容器であっても、商品の信頼性を高めるために、その容器が未開封であるか、既開封であるかを、適切且つ確実に消費者に認識させる必要がある。すなわち、既開封、例えば、不正開封自体を未然に防ぐことは困難であっても、不正開封の試みやその事実があったことを、適切且つ確実に消費者に認識させることにより、次なる被害の発生を防ぐことができる。この不正開封の事実を消費者に認識させる方法として、従来から行われているのは、ヒンジキャップ及びそれに連なる容器の一部ないし全部を、シュリンクフィルム等にて包装することであり、このシュリンクフィルム等が取り除かれていれば、少なくとも不正開封の試みがなされたものとするものである。
【０００４】
また、従来技術としては、ヒンジキャップ５０における上蓋５１の鍔部５２を覆うタンパーエビデントカバー５３が、図９に示すように、上蓋５１の側壁５４及びキャップ本体５５のスカート壁５６に、破断可能な薄肉部を介して設けられているものもある。したがって、このヒンジキャップ５０を開封するには、まず、タンパーエビデントカバー５３を取り除き、鍔部５２を裸出する必要があり、図１０に示す状態にヒンジキャップ５０ａがあれば、不正開封の試みやその事実があったものとするものである。
【０００５】
さらに、図１１に示すように、キャップ本体５５の周壁５８前部に、これの上面から下面に貫通するシール板挿通孔５９を設けると共に、このシール板挿通孔５９内に設けた段部６０を介して前後方向幅広に構成し、シール板挿通孔５９に上蓋５１前部下面より破断部を介して垂設したシール板６１を挿入し、このシール板６１の下端を下向き段部６０に抜け出し不能に押圧嵌合させることにより、上蓋５１をキャップ本体５５にシールしているものである。これにより、上蓋５１の鍔部５２を上方に押し上げることにより、シール板６１を繋いでいる破断部を破断して開封するので、シール板６１はシール板挿通孔５９下端より脱落し除去され、この状態にヒンジキャップ５０Ａがあれば、不正開封の試みやその事実があったものとするものである（例えば、特許文献１）。
【先行技術文献】
【特許文献】
【０００６】
【特許文献１】実用新案登録第２５２０７８２号公報
【発明の概要】
【発明が解決しようとする課題】
【０００７】
図１０に示す既開封のヒンジキャップ５０ａを冠した容器が、図９に示す未開封の複数のヒンジキャップ５０を冠した容器と共に陳列されていれば、消費者は図１０のヒンジキャップ５０ａを冠した容器が既開封であると判断できる。しかしながら、図１０の既開封ヒンジキャップ５０ａを冠した容器単独、あるいは図９の未開封ヒンジキャップ５０を冠した容器と１対１ないし２であるような場合、消費者はどちらが未開封であるのか、判断に迷う可能性が出てくる。
【０００８】
特許文献１の場合も、上述と同じようなことが言えて、シール板６１の有無により、消費者は、未開封か、既開封かを判断することになるから、消費者はどちらが未開封であるのか、判断に迷うことになる。
【０００９】
そこで、本発明の目的は、別途フィルム等により包装することなく、未開封であるか、既開封であるかを容易且つ確実に判断出来て、不正開封などに伴う被害の発生を未然に防ぐことができるヒンジキャップを提供することにある。
【課題を解決するための手段】
【００１０】
本発明は、上記目的を達成するために提案されたものであって、下記の構成からなることを特徴とするものである。
すなわち、本発明によれば、キャップ本体と上蓋とをヒンジにより開閉自在に連結したものであり、前記キャップ本体は、天面と該天面の周縁から垂下し容器の口部に嵌合固定するスカート壁とで構成され、前記天面に、開口予定部及び該開口予定部を囲繞する注出筒を形成すると共に、該注出筒より外側に前記上蓋を閉栓固定する外側壁を形成してなり
、前記上蓋は、天板と該天板の周縁から垂下する側壁とで構成され、前記天板に、これから垂下し前記注出筒の内面に当接しシールするインナーリングを形成し、且つ前記ヒンジの反対側の前記側壁に開閉容易とする鍔部を設けてなる、ヒンジキャップにおいて、
前記上蓋の側壁に、これの上部から前記鍔部を通り下端まで延びる縦溝を設け、該縦溝の外周側に位置する部位がタンパーエビデントカバー部を形成し、該タンパーエビデントカバー部の両側には上端から下端に至る薄肉部が形成され、且つ該タンパーエビデントカバー部の下端部には破断可能な弱化部を介して上蓋側係合部が設けられ、上蓋を閉じた時に該上蓋側係合部と係合するキャップ本体側係合部をスカート壁上部外面に設けたことを特徴とするヒンジキャップが提供される。
【００１１】
上記第１の課題解決手段による作用は、ヒンジキャップを冠した容器の開封に際して、タンパーエビデントカバーの上蓋上部側を手指にてつかみ、上蓋側係合部側に引っ張り薄肉部を破断して、タンパーエビデントカバーを除去しなければならないから、必ず上蓋の鍔部の一部が除去されることになり、且つ、この状態は修復不可能であるから、既開封の行為があったことが明確となる。
【００１２】
上記第２の課題解決手段による作用は、キャップ本体から上蓋を開けるには、さらに側壁下部の弱化部を破断して完全にタンパーエビデントカバーを除去する必要があるから、上蓋と上蓋側係合部とが分離していれば、意図的な開封の行為がなされたことがより明確となる。
【発明の効果】
【００１３】
本発明のヒンジキャップによれば、開封履歴を明確に視認することができ、且つ、開封状態は修復不可能であるため、未開封であるか、既開封であるかを容易且つ確実に判断出来て、不正開封などに伴う被害の発生を未然に防ぐことができる効果がある。
【００１４】
また、本発明のヒンジキャップによれば、なお一層意図的な開封の行為がなされたことが明確となるので、上記の効果が一層顕著となる。
【図面の簡単な説明】
【００１５】
【図１】実施例１における実施の形態を示すヒンジキャップを容器の口部に打栓した状態の縦断面図である。
【図２】図１のヒンジキャップを完全に開いた状態の平面図である。
【図３】図１のヒンジキャップを完全に開いた状態の縦断面図である
【図４】図１のヒンジキャップを完全に開いた状態の底面図である。
【図５】図３のＡ方向から見た側面図である。
【図６】図３のＢ方向から見た側面図である。
【図７】図１のヒンジキャップの開封前の状態を示す側面図である。
【図８】図１のヒンジキャップの開封後の状態を示す側面図である。
【図９】従来例を示す斜視図である。
【図１０】従来例を示す斜視図である。
【図１１】従来例を示す斜視図である。
【発明を実施するための形態】
【００１６】
以下に、図面を参照して本発明を実施するための形態を説明する。
【実施例１】
【００１７】
図面において、１はヒンジキャップであり、このヒンジキャップ１は、キャップ本体１０と上蓋２０とをヒンジ３０を介して開閉自在に連結したものであり、前記キャップ本体１０は、天面１１と、この天面１１の周縁から垂下し容器２の口部３に嵌合固定するスカート壁１２とで構成され、さらに天面１１に、開口予定部１３及びこの開口予定部１３を囲繞する注出筒１４を形成すると共に、この注出筒１４より外側に上蓋２０を閉栓固定する外側壁１５を形成してなる。
【００１８】
前記上蓋２０は、天板２１とこの天板２１の周縁から垂下する側壁２２とで構成され、この天板２１に、これから垂下し注出筒１４の内面に当接しシールするインナーリング２３を形成し、且つヒンジ３０の反対側の側壁２２に開閉容易とする鍔部２４を設けてなるものであり、前記上蓋２０の側壁２２に、この上部から鍔部２４を通り下端まで延びる縦溝２８を設け、この縦溝２８の外周側に位置する部位がタンパーエビデントカバー部２６を形成し、タンパーエビデントカバー部２６の両側には上端から下端に至る薄肉部２９が形成され、且つタンパーエビデントカバー部の下端部には破断可能な弱化部２７を介して上蓋側係合部２５が設けられている。弱化部は手指にて破断可能な程度に接合されていれば良く、例えば、破断可能な薄肉部であっても、タンパーエビデントカバー部の下端部と上蓋側係合部２５の間が破断可能な薄肉部に形成されていても、ブリッジを介して連接されていてもよい。
【００１９】
前記ヒンジキャップ１を冠する容器２は、その口部３にキャップ本体１０を打栓あるいは螺着できるものであれば特に限定がなく、どのようなタイプ、材質でも良い。この実施例１では、キャップ本体１０を打栓でき、調味料などの頻繁に小出しするものに利用して
、上蓋２０による開閉が比較的多く行われる容器を想定している。
【００２０】
前記キャップ本体１０は、その天面１１の下に、スカート壁１２及び内筒１７が設けられて嵌合部分１８が形成され、この嵌合部分１８に容器２の口部３をあてがい打栓することで液密にする。更に、既述のとおり、キャップ本体１０に上蓋２０がヒンジ３０を介して連結されているから、上蓋２０はヒンジ３０を中心として回動自在となっている。そして、前記注出筒１４より外側の天面１１上には、前述のとおり、外側壁１５が設けられているから、仮に注出筒１４から液だれがあっても、外側壁１５から直ちに外部にこぼれ出ないようになっている。
【００２１】
前記注出筒１４の内側にある開封予定部１３は、スコア１３ａにより囲まれ、破断除去可能な部位であり、この開封予定部１３に設けたスコア引裂用タブ４に指を掛けて引っ張ると、スコア１３ａを破断して開封予定部１３を除去、すなわち、完全な開封をすることが出来る。なお、図１中、４ａは、スコア引裂用タブ４に指を掛ける際のスベリ止めである。一方、開封後の主たるシールは、キャップ本体１０の注出筒１４内に上蓋２０のインナーリング２３が嵌合することによりなされる。すなわち、インナーリング２３の外周面が注出筒１４の内周面に摺接することにより、開封後のシールがなされる。
【００２２】
前記上蓋２０は、天板２１下に外側から内側にかけて順次、側壁２２、インナーリング２３が垂下形成され、側壁２２の一端がヒンジ３０によって開閉自在に連結され、側壁２２の他端には鍔部２４が設けられ、上蓋２０の開閉を容易にしている。さらに、側壁２２の内周面には被係止突条２２ａが形成され、キャップ本体１０の外側壁１５の係止突条１５ａに係止して、これらの協働により上蓋２０の外れを防ぐと共にゴミなどの侵入を防ぐことが出来る。
【００２３】
前記上蓋側係合部２５は、既述のとおり、上蓋２０の鍔部２４の下方に位置するタンパーエビデントカバー２６下部に設けられ、その具体的な構造は、先端突起２５ａと基端突起２５ｂとが設けられてなる。一方、この上蓋側係合部２５に係合するキャップ本体側係合部１６は、キャップ本体１０のスカート壁１２外周面上部に設けられ、このキャップ本体側係合部１６に上蓋側係合部２５の先端突起２５ａが差し込まれて、先端突起２５ａと基端突起２５ｂとの間にキャップ本体側係合部１６が密着した状態で係合することになるので、その後、キャップ本体側係合部１６から上蓋側係合部２５が外れない。したがって、開封の際、上蓋側係合部２５は、上蓋２０から完全に分離されなければならないから、タンパーエビデントカバー２６の下部に破断可能な弱化部２７を介して設けられている。
【００２４】
そして、前記タンパーエビデントカバー２６は、既述のとおり、上蓋２０の側壁２２に設けた縦溝２８の外周側に設けられ、側壁２２の一部を形成している。したがって、このタンパーエビデントカバー２６の指掛け部２６ａに手指を掛けて、薄肉部２９、及び弱化部２７を破断すれば、タンパーエビデントカバー２６が除去され、側壁２２の一部が切り欠かれた状態となり、更に、タンパーエビデントカバー２６に属する鍔部２４の一部をも除去することになって、少なくとも、開封しようとする試みがなされたことを如実に示すことになり、最終消費者の注意を喚起することになる。
【００２５】
次に、上記構成になるヒンジキャップ１の利用方法について説明する。
まず、キャップ本体１０に上蓋２０を嵌めた状態のヒンジキャップ１にし、容器２内に液状内容物を充填し、キャップ本体１０の嵌合部分１８に容器２の口部３をあてがい打栓することで、ヒンジキャップ１により容器２内を密封する（図１参照）。その後、必要に応じてヒンジキャップ１付き容器２を包装して最終製品とする。
【００２６】
最終製品の開封前の状態を図７に示した。ついで、まず、タンパーエビデントカバー２６の指掛け部２６ａに手指を掛けて、縦方向の一対の薄肉部２９を破断し、次いでタンパーエビデントカバー２６の下端に設けられた弱化部２７を破断することによりタンパーエビデントカバー２６を除去する（図８参照）。これにより側壁２２の一部と共に鍔部２４の一部をも除去されるから、少なくとも、開封しようとする試みがなされたことを如実に示すことになって、最終消費者の注意を喚起することが出来る。
【００２７】
キャップ本体１０から上蓋２０を開けた後、スコア引裂用タブ４に手指を掛けて引っ張れば、スコア１３ａを破断し開封予定部１３を除去して、完全に開封出来る。そして、容器２内の液状内容物を必要量だけ、キャップ本体１０の注出筒１４から必要容器などに注ぎ込むことが出来る。その液状内容物を注ぎ終わった後、キャップ本体１０に上蓋２０を被せると、注出筒１４にインナーリング２３が密着し、且つ、上蓋２０の側壁２２内周面に形成された被係止突条２２ａがキャップ本体１０の外側壁１５に形成された係止突条１５ａに係止して、容器２内の液状内容物が漏れないように密封される。以後、容器２内の液状内容物を使い切るまで、上記した同じ動作を繰り返すことになる。
【００２８】
以上、本発明の実施例１を説明したが、具体的な構成はこれに限定されず、本発明の要旨を逸脱しない範囲での変更は、適宜可能であることが理解されるべきである。
【産業上の利用可能性】
【００２９】
本発明のヒンジキャップは、フィルム包装及びそれに伴う包装設備を必要とせずに、未開封であるか、既開封であるかを容易且つ確実に判断して、不正開封などに伴う被害の発生を未然に防ぎたいような場合に、その利用可能性が極めて高くなる。
【符号の説明】
【００３０】
１、５０、５０Ａ、５０ａ  ヒンジキャップ
２                        容器
３                        口部
４                        スコア引裂用タブ
４ａ                      スベリ止め
１０、５５                キャップ本体
１１                      天面
１２、５６                スカート壁
１３                      開口予定部
１３ａ                    スコア
１４                      注出筒
１５                      外側壁
１５ａ                    係止突条
１６                      キャップ本体側係合部
１７                      内筒
１８                      嵌合部分
２０、５１                上蓋
２１                      天板
２２、５４                側壁
２２ａ                    被係止突条
２３、５６                インナーリング
２３ａ                    先端周面
２４、５２                鍔部
２５                      上蓋側係合部
２５ａ                    先端突起
２５ｂ                    基端突起
２６、５３                タンパーエビデントカバー
２６ａ                    指掛け部
２７                      弱化部
２８                      縦溝
２９                      薄肉部
３０                      ヒンジ
５８                      周壁
５９                      シール板挿通孔
６０                      段部
６１                      シール板
【図１】
2011001066.tif 000003
【図２】
2011001066.tif 000004
【図３】
2011001066.tif 000005
【図４】
2011001066.tif 000006
【図５】
2011001066.tif 000007
【図６】
2011001066.tif 000008
【図７】
2011001066.tif 000009
【図８】
2011001066.tif 000010
【図９】
2011001066.tif 000011
【図１０】
2011001066.tif 000012
【図１１】
2011001066.tif 000013